(57)【特許請求の範囲】
【請求項１】
無線通信ネットワークにおけるフレーム番号同期のための方法、基地局によってインプリメントされる前記方法は、下記を具備する：
マルチプルな複数の他の基地局に共通であるタイミングソースから現在の時間を決定すること；
前記現在の時間と基準時間の間の時間オフセットを決定すること、前記基準時間は、基準フレーム番号に対応し、前記基準フレーム番号は、前記基地局及び前記マルチプルな複数の他の基地局について同一である；
積分時間オフセットを得るために、遅延と前記時間オフセットを組み合わせること；及び
前記積分時間オフセットに基づいて現在のフレーム番号を決定すること。
【請求項２】
前記共通のタイミングソースは、全地球測位システム（ＧＰＳ）である、請求項１に記載の方法。
【請求項３】
前記共通のタイミングソースは、ネットワーク時間プロトコル（ＮＴＰ）サーバである、請求項１に記載の方法。
【請求項４】
前記基地局及び前記マルチプルな複数の他の基地局は、同一のページンググループに属する、請求項１に記載の方法。
【請求項５】
前記現在のフレーム番号は、現在のフレーム番号＝（Ｔ／フレーム長）ｍｏｄ  ２２４として決定され、ここにおいてＴは、前記積分時間オフセットである、請求項１に記載の方法。
【請求項６】
更に下記を具備する、請求項１に記載の方法：
移動局にページング要求を伝送すること；及び
前記移動局から前記ページング要求に対する応答を受信すること。
【請求項７】
前記方法は周期的に行われる、請求項１に記載の方法。
【請求項８】
前記基準番号は、フレーム番号＝０に対応する、請求項１に記載の方法。
【請求項９】
１つの各フレーム長毎に、前記現在のフレーム番号を増加することを更に具備する、請求項１に記載の方法。
【請求項１０】
前記基地局は、米国電気電子学会（ＩＥＥＥ）８０２．１６規格をサポートする無線通信ネットワークにおけるオペレーションのために構成される、請求項１に記載の方法。
【請求項１１】
下記を具備する、無線通信ネットワークにおけるフレーム番号同期のために構成された基地局：
プロセッサ；
前記プロセッサと電子通信状態にあるメモリ；
前記メモリ中に格納された複数の命令、前記複数の命令は、下記を行うために前記プロセッサによって実行可能である：
マルチプルな複数の他の基地局に共通であるタイミングソースから現在の時間を決定すること；
前記現在の時間と基準時間の間の時間オフセットを決定すること、前記基準時間は、基準フレーム番号に対応し、前記基準フレーム番号は、前記基地局及び前記マルチプルな複数の他の基地局について同一である；
積分時間オフセットを得るために、遅延と前記時間オフセットを組み合わせること；及び
前記積分時間オフセットに基づいて現在のフレーム番号を決定すること。
【請求項１２】
前記共通のタイミングソースは、全地球測位システム（ＧＰＳ）である、請求項１１に記載の基地局。
【請求項１３】
前記共通のタイミングソースは、ネットワーク時間プロトコル（ＮＴＰ）サーバである、請求項１１に記載の基地局。
【請求項１４】
前記基地局及び前記マルチプルな複数の他の基地局は、同一のページンググループに属する、請求項１１に記載の基地局。
【請求項１５】
前記現在のフレーム番号は、現在のフレーム番号＝（Ｔ／フレーム長）ｍｏｄ  ２２４として決定され、ここにおいてＴは、前記積分時間オフセットである、請求項１１に記載の基地局。
【請求項１６】
前記複数の命令はまた下記を行うために実行可能である、請求項１１に記載の基地局：
移動局にページング要求を伝送すること；及び
前記移動局から、前記ページング要求に対する応答を受信すること。
【請求項１７】
前記現在の時間を決定することと、前記時間オフセットを決定することと、そして前記現在のフレーム番号を決定することとの複数の命令は、周期的に行われる、請求項１１に記載の基地局。
【請求項１８】
前記基準番号は、フレーム番号＝０に対応する、請求項１１に記載の基地局。
【請求項１９】
前記複数の命令はまた、１つの各フレーム長毎に前記現在のフレーム番号を増加するために実行可能である、請求項１１に記載の基地局。
【請求項２０】
前記基地局は、米国電気電子学会（ＩＥＥＥ）８０２．１６規格をサポートする無線通信ネットワークにおけるオペレーションのために構成される、請求項１１に記載の基地局。
【請求項２１】
下記を具備する、無線通信ネットワークにおけるフレーム番号同期のために構成される基地局：
マルチプルな複数の他の基地局に共通であるタイミングソースから現在の時間を決定する手段；
前記現在の時間と基準時間の間の時間オフセットを決定する手段、前記基準時間は、基準フレーム番号に対応し、前記基準フレーム番号は、前記基地局及び前記マルチプルな複数の他の基地局について同一である；
積分時間オフセットを得るために、遅延と前記時間オフセットを組み合わせる手段；及び
前記積分時間オフセットに基づいて現在のフレーム番号を決定する手段。
【請求項２２】
前記共通のタイミングソースは、全地球測位システム（ＧＰＳ）である、請求項２１に記載の基地局。
【請求項２３】
前記共通のタイミングソースは、ネットワーク時間プロトコル（ＮＴＰ）サーバである、請求項２１に記載の基地局。
【請求項２４】
前記基地局及び前記マルチプルな複数の他の基地局は、同一のページンググループに属する、請求項２１に記載の基地局。
【請求項２５】
前記現在のフレーム番号は、現在のフレーム番号＝（Ｔ／フレーム長）ｍｏｄ  ２２４として決定され、ここにおいてＴは、前記積分時間オフセットである、請求項２１に記載の基地局。
【請求項２６】
基地局による、無線通信ネットワークにおけるフレーム番号同期のためのコンピュータ可読記憶デバイス、前記コンピュータ可読記憶デバイスは、複数の命令をその上に有するコンピュータ可読媒体を具備し、前記複数の命令は下記を具備する：
マルチプルな複数の他の基地局に共通であるタイミングソースから現在の時間を決定するためのコード；
前記現在の時間と基準時間の間の時間オフセットを決定するためのコード、前記基準時間は、基準フレーム番号に対応し、前記基準フレーム番号は、前記基地局及び前記マルチプルな複数の他の基地局について同一である；
積分時間オフセットを得るために、遅延と前記時間オフセットを組み合わせるためのコード；及び
前記積分時間オフセットに基づいて現在のフレーム番号を決定するためのコード。
【請求項２７】
前記共通のタイミングソースは、全地球測位システム（ＧＰＳ）である、請求項２６に記載のコンピュータ可読記憶デバイス。
【請求項２８】
前記共通のタイミングソースは、ネットワーク時間プロトコル（ＮＴＰ）サーバである、請求項２６に記載のコンピュータ可読記憶デバイス。
【請求項２９】
前記基地局及び前記マルチプルな複数の他の基地局は、同一のページンググループに属する、請求項２６に記載のコンピュータ可読記憶デバイス。
【請求項３０】
前記現在のフレーム番号は、現在のフレーム番号＝（Ｔ／フレーム長）ｍｏｄ  ２２４として決定され、ここにおいてＴは、前記積分時間オフセットである、請求項２６に記載のコンピュータ可読記憶デバイス。
【発明の詳細な説明】
【技術分野】
【０００１】
本開示は、全般的に通信システムに関する。本開示は、より明確には無線通信ネットワークにおけるフレーム番号同期のための方法及び装置に関する。
【背景技術】
【０００２】
ここで用いられている「移動局」という用語は、無線通信ネットワーク上の音声及び／又はデータ通信に使用されることができる電子デバイスを指す。移動局の例は、携帯電話、携帯情報端末（ＰＤＡ）、ハンドヘルドデバイス、無線モデム、ラップトップコンピュータ、パーソナルコンピュータ等を含む。移動局は、その代わりにアクセス端末、モバイル端末、加入者局、リモート局、ユーザ端末、端末、加入者ユニット、ユーザ機器等と称されることができる。
【０００３】
無線通信ネットワークは、多くの移動局に通信を提供することができ、その各々は基地局によってサービスされることができる。基地局は、その代わりにアクセスポイント、ノードＢ、又は何か他の用語として称されることができる。
【０００４】
移動局は、アップリンク及びダウンリンク上の送信を介して、１つ又は複数の基地局と通信することができる。アップリンク（又は逆方向リンク）は、移動局から基地局への通信リンクを指し、またダウンリンク（又は順方向リンク）は、基地局から移動局への通信リンクを指す。
【０００５】
無線通信ネットワークの複数の資源（例えば、帯域幅及び送信するパワー）は、マルチプルな（multiple）複数の移動局の間で共有されることができる。様々な多元接続技術が知られており、符号分割多元接続（ＣＤＭＡ）、時分割多元接続（ＴＤＭＡ）、周波数分割多元接続（ＦＤＭＡ）及び直交周波数分割多元接続（ＯＦＤＭＡ）を含む。
【０００６】
複数の便益は、無線通信ネットワークのオペレーションに関連する改良された方法及び装置によって、実現されることができる。
【図面の簡単な説明】
【０００７】
【図１】図１は、マルチプルな複数の基地局及びマルチプルな複数の移動局を有する無線通信システムを例示する図。
【図２】図２は、基地局及び移動局の設計を例示するブロック図。
【図３】図３は、フレーム番号同期のために構成されるシステムの例を例示する図。
【図４】図４は、フレーム番号同期のための方法の例を例示する図。
【図５】図５は、図４の方法に対応する複数のミーンズ−プラス−ファンクション（means-plus-function）ブロックを例示する図。
【図６】図６は、マルチプルな複数の基地局の間でフレーム番号が同期されていない無線通信ネットワーク内でのページングの例を例示する図。
【図７】図７は、マルチプルな複数の基地局の間でフレーム番号が同期されている無線通信ネットワーク内でのページングの例を例示する図。
【図８】図８は、フレーム番号同期のために構成される基地局内に含まれることができるある複数の構成要素を例示する図。
【発明の概要】
【０００８】
無線通信ネットワークにおけるフレーム番号同期のための方法が開示される。該方法は、基地局によってインプリメントされる（implemented）ことができる。該方法は、マルチプルな複数の他の基地局に共通であるタイミングソースから現在の時間を決定することを含むことができる。該方法はまた、現在の時間と基準時間の間の時間オフセットを決定することを含むことができる。基地局及びマルチプルな複数の他の基地局は、該時間オフセットを決定するために、同一の基準時間を使用することができる。該方法はまた、積分時間オフセット（integral time offset）を得るために遅延を決定することを含むことができる。該方法はまた、積分時間オフセットに基づいて現在のフレーム番号を決定することを含むことができる。
【０００９】
無線通信ネットワークにおけるフレーム番号同期のために構成される基地局が開示される。該基地局は、プロセッサを含むことができる。該基地局はまた、プロセッサと電子通信状態にあるメモリを含むことができる。該基地局はまた、メモリ中に格納された複数の命令を含むことができる。該複数の命令は、マルチプルな複数の他の基地局に共通であるタイミングソースから現在の時間を決定するために、プロセッサによって実行可能である。該複数の命令はまた、現在の時間と基準時間の間の時間オフセットを決定するために、実行可能であることができる。基地局及びマルチプルな複数の他の基地局は、該時間オフセットを決定するために、同一の基準時間を使用することができる。該複数の命令はまた、積分時間オフセットを得るために遅延を決定するために、実行可能であることができる。該複数の命令は、積分時間オフセットに基づいて現在のフレーム番号を決定するために、更に実行可能であることができる。
【００１０】
無線通信ネットワークにおけるフレーム番号同期のために構成される基地局が開示される。該基地局は、マルチプルな複数の他の基地局に共通であるタイミングソースから現在の時間を決定する手段を含むことができる。該基地局はまた、現在の時間と基準時間の間の時間オフセットを決定する手段を含むことができる。基地局及びマルチプルな複数の他の基地局は、該時間オフセットを決定するために、同一の基準時間を使用することができる。該基地局はまた、積分時間オフセットを得るために遅延を決定する手段を含むことができる。該基地局はまた、積分時間オフセットに基づいて現在のフレーム番号を決定する手段を含むことができる。
【００１１】
基地局による、無線通信ネットワークにおけるフレーム番号同期のためのコンピュータプログラム製品が開示される。該コンピュータプログラム製品は、複数の命令をその上に有するコンピュータ可読媒体を含むことができる。該複数の命令は、マルチプルな複数の他の基地局に共通であるタイミングソースから現在の時間を決定するためのコードを含むことができる。該複数の命令はまた、現在の時間と基準時間の間の時間オフセットを決定するためのコードを含むことができる。基地局及びマルチプルな複数の他の基地局は、該時間オフセットを決定するために、同一の基準時間を使用することができる。該複数の命令はまた、積分時間オフセットを得るために遅延を決定するためのコードを含むことができる。該複数の命令はまた、積分時間オフセットに基づいて現在のフレーム番号を決定するためのコードを含むことができる。
【発明を実施するための形態】
【００１２】
本開示の方法及び装置は、広帯域無線通信ネットワークにおいて利用されることができる。「広帯域無線」という用語は、所与のエリアにわたって、無線、音声、インターネット、及び／又はデータネットワークアクセスを提供する技術を称する。
【００１３】
広帯域無線アクセス規格に関する米国電気電子学会（ＩＥＥＥ）８０２．１６のワーキンググループは、広帯域の無線都市域ネットワーク（Wireless Metropolitan Area Networks）のグローバルな展開のために形式仕様を用意することを目指す。８０２．１６ファミリーの規格は、正式には無線ＭＡＮと呼ばれているが、それはＷｉＭＡＸフォーラムと呼ばれる業界団体によって、「ＷｉＭＡＸ」（「マイクロ波アクセスのための世界的な相互運用性（Worldwide Interoperability for Microwave Access）」の略である）と呼ばれてきた。従って、「ＷｉＭＡＸ」という用語は、長距離間に高いスループットの広帯域接続を提供する規格を基にした広帯域無線技術を称する。
【００１４】
ここに記述される幾つかの例は、ＷｉＭＡＸ規格に従って構成される無線通信ネットワークに関連する。しかしながら、これらの例は、本開示の範囲を限定していると解釈されるべきではない。
【００１５】
ＷｉＭＡＸは、ＯＦＤＭ（直交周波数分割多重）及びＯＦＤＭＡ（直交周波数分割多元接続）技術に基づいている。ＯＦＤＭは、様々な高いデータレートの通信ネットワークにおいて、幅広い採用を最近見出したデジタルマルチキャリア変調技術である。ＯＦＤＭでは、送信ビットストリームは、マルチプルなより低いレートの複数のサブストリームに分割される。各サブストリームは、マルチプルな複数の直交するサブキャリアのうちの１つを用いて変調され、そして複数の並列するサブチャネルのうちの１つの上で伝送される。ＯＦＤＭＡは、複数のユーザが異なる複数の時間帯（time slots）において複数のサブキャリアを割り当てられる多元接続技術である。ＯＦＤＭＡは、幅広く変化するアプリケーション、データレート、及びサービス要件と多くのユーザを適応させることができる順応性のある多元接続技術である。
【００１６】
図１は、マルチプルな複数の基地局（ＢＳ）１０２及びマルチプルな複数の移動局（ＭＳ）１０４を有する無線通信システム１００を示す。基地局１０２は、移動局１０４と通信する局である。基地局１０２はまた、アクセスポイント、ノードＢ、発展型ノードＢ等と呼ばれることができ、それらの機能のうちの全て又は幾つかを含むことができる。各基地局１０２は、特定の地理的なエリア１０６のために通信のカバレッジを提供する。「セル」という用語は、該用語が使用される文脈に応じて、基地局１０２及び／又はそのカバレッジエリア１０６を指すことができる。システム容量を向上するために、基地局のカバレッジエリア１０６は、マルチプルな複数のより小さいエリア（例えば、３つのより小さいエリア１０８ａ、１０８ｂ、１０８ｃ）に区分されることができる。各々のより小さいエリア１０８ａ、１０８ｂ、１０８ｃは、それぞれのベーストランシーバ基地局（ＢＴＳ）によってサービスされることができる。「セクタ（sector）」という用語は、該用語が使用される文脈に応じて、ＢＴＳ及び／又はそのカバレッジエリア１０８を指すことができる。セクタ化されたセルに関しては、そのセルの全てのセクタのための複数のＢＴＳは、典型的に該セルのための基地局１０２内に共同配置（co-located）される。
【００１７】
複数の移動局１０４は、典型的にシステム１００の全体にわたって分散される。移動局１０４はまた、端末、アクセス端末、ユーザ機器、加入者ユニット、局等と呼ばれることができ、それらの機能のうちの全て又は幾つかを含むことができる。移動局１０４は、携帯電話、携帯情報端末（ＰＤＡ）、無線デバイス、無線モデム、ハンドヘルドデバイス、ラップトップコンピュータ等であることができる。移動局１０４は、いつでもダウンリンク（ＤＬ）及び／又はアップリンク（ＵＬ）上で、ゼロ、１つ、又はマルチプルな複数の基地局１０４と通信することができる。ダウンリンク（又は順方向リンク）は、複数の基地局１０２から複数の移動局１０４への通信リンクを指し、またアップリンク（又は逆方向リンク）は、複数の移動局１０４から複数の基地局１０２への通信リンクを指す。
【００１８】
集中型アーキテクチャ（centralized architecture）に関しては、システム制御装置１１０は、複数の基地局１０２に結合し、これらの複数の基地局１０２のために調整と制御を提供することができる。システム制御装置１１０は、単一のネットワークエンティティ（network entity）又は複数のネットワークエンティティの集まりであることができる。分散型アーキテクチャに関しては、複数の基地局１０２は、必要に応じてお互いに通信し合うことができる。
【００１９】
図２は、基地局１０２及び移動局１０４の設計のブロック図を示し、それは図１における複数の基地局１０２のうちの１つ及び複数の移動局１０４のうちの１つであることができる。基地局１０２において、送信（ＴＸ）データ及び制御プロセッサ２１２ａは、データ送信装置（示されていない）からのトラフィクデータ及び／又は制御装置／プロセッサ２１４ａからの制御情報を受信することができる。プロセッサ２１２ａは、トラフィクデータ及び制御情報を処理し（例えば、フォーマットする、符号化する、インタリーブする、及びシンボルマップする）、そして複数の変調シンボルを提供することができる。変調器（ＭＯＤ）２１６ａは、（例えば、ＯＦＤＭに関する）該複数の変調シンボルを処理し、そして複数の出力チップを提供することができる。送信機（ＴＭＴＲ）２１８ａは、該複数の出力チップを処理し（例えば、アナログに変換する、増幅する、フィルタする、及びアップコンバートする）、そしてダウンリンク信号を生成し、それはアンテナ２２０ａを介して送信されることができる。
【００２０】
移動局１０４において、アンテナ２２０ｂは、基地局１０２及び複数の他の基地局１０２から複数のダウンリンク信号を受信することができ、そして受信された信号を受信機（ＲＣＶＲ）２２２ｂに提供することができる。受信機２２２ｂは、受信された信号を調え（例えば、フィルタする、増幅する、ダウンコンバートする、及びデジタル化する）、そして複数の受信されたサンプルを提供することができる。復調器（ＤＥＭＯＤ）２２４ｂは、（例えば、ＯＦＤＭに関する）複数の受信されたサンプルを処理し、そして複数の復調されたシンボルを提供することができる。受信（ＲＸ）データ及び制御プロセッサ２２６ｂは、移動局１０４のための制御情報及び復号化されたデータを得るために、複数の復調されたシンボルを処理する（例えば、シンボルを逆マップする、逆インタリーブする、及び復号化する）ことができる。
【００２１】
アップリンク上では、移動局１０４において、移動局１０４によって伝送されるためのデータ及び制御情報は、ＴＸデータ及び制御プロセッサ２１２ｂによって処理され、変調器２１６ｂによって変調され、送信機２１８ｂによって調えられ、そしてアンテナ２２０ｂを介して送信されることができる。基地局１０２において、移動局１０４及び事に依ると複数の他の移動局１０４からの複数のアップリンク信号は、アンテナ２２０ａによって受信され、受信機２２２ａによって調えられ、復調器２２４ａによって復調され、そして移動局１０４によって伝送された制御情報及びデータを回復するために、ＲＸデータ及び制御プロセッサ２２６ａによって処理されることができる。一般に、アップリンク送信のための処理は、ダウンリンク送信のための処理と異なっている、あるいは類似していることがあり得る。
【００２２】
制御装置／プロセッサ２１４ａ及び２１４ｂは、それぞれ基地局１０２及び移動局１０４におけるオペレーションを管理することができる。メモリ２２８ａ及び２２８ｂは、それぞれ基地局１０２及び移動局１０４のためのプログラムコード及びデータを格納することができる。スケジューラ２３０は、ダウンリンク及び／又はアップリンクの送信のために複数の移動局１０４をスケジュールすることができ、そして複数のシステムの資源の割当てを提供することができる。
【００２３】
本開示のある複数の態様は、ＷｉＭＡＸネットワークにおけるアイドルモードに関連している。モバイルＷｉＭＡＸにおいては、アイドルモードは、ネットワークにそれ自身を登録することなく、基地局からの同報通信のダウンリンク送信を受信することを移動局に可能にする仕組みである。アイドルモードオペレーションに関しては、基地局の複数のグループが、ページンググループに割り当てられる。アイドルモードにある移動局は、その現在位置のページンググループを決定するために、ネットワークのダウンリンク送信を周期的にモニターする。それが新しいページンググループに移動したことを検出した際には、移動局は、それがいる現在のページンググループのネットワークに情報を提供する間に、ページンググループの更新を行う。アイドルモードにある移動局との接続を確立する為に、ネットワークは、移動局の現在のページンググループに属する複数の基地局においてのみ、該移動局をページングすることができる。
【００２４】
アイドルモードオペレーションの間、移動局は、「ページング−利用不可」間隔か「ページング−傾聴」間隔かのどちらかであることができる。「ページング−利用不可」間隔の間、移動局は、ページングには利用できず、パワーダウンするか、近隣の基地局とレンジング（ranging）を実施するか、あるいは受信された信号の強さ及び／又は信号対雑音比を求めて近隣の基地局をスキャンすることができる。「ページング−傾聴」間隔の間、移動局は、いつ同報通信のページングメッセージがスケジュールされているかを決定するために、サービスする基地局のダウンリンクチャネル記述子（ＤＣＤ：Downlink Channel Descriptor）及びダウンリンクＭＡＰ（ＤＬ−ＭＡＰ）のメッセージに傾聴する。移動局が、同報通信のページングメッセージでページングされた場合には、該移動局は、ページングに応答し、そしてそのアイドルモードオペレーションを終了する。移動局が、同報通信のページングメッセージでページングされなかった場合には、該移動局は、次の「ページング−利用不可」間隔に入る。
【００２５】
本開示は、全般的に、ＷｉＭＡＸネットワークのような無線通信ネットワークにおけるフレーム番号同期の方法に関する。
【００２６】
モバイルＷｉＭＡＸネットワークにおいて、各フレームは、２４ビットのフレーム番号を有する。このフレーム番号は、ゼロから再スタートする前に、ゼロから最大値（２２４−１）に達するまで、フレーム毎に増加する。
【００２７】
このフレーム番号は、基地局がページングメッセージをいつ伝送するべきか、及び移動局がページングメッセージにいつ傾聴するべきか、を決定するために使用されることができる。移動局は、以下の時に、フレーム番号Ｎからページング通知メッセージ（page advertisement message）（ＭＯＢ＿ＰＡＧ−ＡＤＶ）に傾聴することを開始する：
Ｎ  ｍｏｄ  ページング＿サイクル＝ページング＿オフセット        式（１）
しかしながら、各基地局は、必ずしも同一の時間に同一のフレーム番号を有しているわけではない。これは、移動局は、アイドルモードにある間は、以前の基地局から新しい基地局へ移動する時に、ページングメッセージを聞きそこない得ることを意味する。これは、両方の基地局が同一のページング＿サイクル及びページング＿オフセットのパラメータを使用しているにもかかわらず、新しい基地局は、以前の基地局とは異なるフレーム番号のカウントを有し得るからである。移動局は、次の傾聴間隔になるまで、以前の基地局に対応するフレーム番号のカウントに依然として従うことができ、その次に移動局は、新しい基地局と同期するようにフレーム番号を更新することができる。
【００２８】
この問題を解決するために、本開示は、フレーム番号のカウンターを作動する目的のために、同一のページンググループにおける全ての基地局が、現在の時間を決定するために共通のタイミングソースを使用することを提案する。共通のタイミングソースは、基地局においてローカルに（locally）インストールされたＧＰＳ受信機であることができる。あるいは、基地局は、ＮＴＰサーバから２−３２秒の単位においてタイムスタンプ(time stamp)を受信するために、インターネット・エンジニアリング・タスク・フォース（ＩＥＴＦ）のコメントを募集（ＲＦＣ：Request for Comments）１３０５において定義されているように、ネットワーク時間プロトコル（ＮＴＰ）に従って動作することができる。
【００２９】
共通のタイミングソースから現在の時間を得た後に、基地局は、現在の時間と基準時間の間の時間オフセットｔ＿オフセットを計算することができる。同一のページンググループにおける全ての基地局は、同一の基準時間を使用することができる。基準時間は、フレーム番号＝０に対応することができる。基地局は、フレーム長の倍数である積分時間オフセットＴを得るために遅延ｄの間待つことができる：Ｔ＝ｔ＿オフセット＋ｄ、及びＴは、フレーム長の倍数である。従って、現在のフレーム番号は下記により与えられることができる：
現在のフレーム番号＝（Ｔ／フレーム長）ｍｏｄ  ２２４              式（２）
ここでＴは、積分時間オフセットであり、そしてフレーム長は、単一のフレームの長さである。
【００３０】
基地局は、方程式（２）に従って、フレーム番号を調整（calibrate）することができる。フレーム番号を調整した後に、各基地局は、その後の１つの各フレーム長毎にフレーム番号を増加することができる。各基地局は、上に記述された処理（即ち、現在の時間を得ること、時間オフセットｔ＿オフセットを計算すること、遅延ｄの間待つこと、積分時間オフセットＴを計算すること、そして方程式（２）に従って現在のフレーム番号を計算すること）を繰り返すことによって、フレーム番号を周期的に再調整（re-calibrate）することができる。
【００３１】
ここで図３への参照が行われる。図３は、本開示に従って、フレーム番号同期のために構成されるシステム３００の例を例示する。
【００３２】
システム３００は、マルチプルな複数の基地局３０２を含む。各基地局３０２は、様々な機能モジュール３３２及びデータ３３４を含む。図３に示される複数の基地局３０２は、同一のページンググループ３３６に属することができる。
【００３３】
各基地局３０２は、現在のフレーム番号３３８の経過を追う（keep track）ことができる。現在のフレーム番号３３８は、１つの各フレーム長３４０毎に増加されることができ、ここでフレーム長３４０は、時間間隔を指す。現在のフレーム番号３３８は、無線通信ネットワークにおいて様々な目的のために使用されることができる。例えば、現在のフレーム番号３３８は、基地局３０２がページングメッセージをいつ伝送するべきか、及び移動局がページングメッセージにいつ傾聴するべきかを決定するために使用されることができる。
【００３４】
各基地局３０２は、ページンググループ３３６における複数の他の基地局３０２とその現在のフレーム番号３３８を同期するように構成されることができる。各基地局３０２は、この機能をインプリメントするためのフレーム番号同期モジュール３４２と共に示される。
【００３５】
ページンググループ３３６における複数の他の基地局３０２のそれと、その現在のフレーム番号３３８を同期するために、基地局３０２は、下記のステップを行うことができる。第１に、基地局３０２は、共通のタイミングソース、即ちページンググループ３３６における全ての基地局３０２に共通であるタイミングソース、から現在の時間３４４を決定することができる。例えば、共通のタイミングソースは、全地球測位システム（ＧＰＳ）であることができる。この場合には、ページンググループ３３６における各基地局３０２は、現在の時間３４４を伝達するＧＰＳ情報を受信するためのＧＰＳ受信機３４６を設備されることができる。別の例として、共通のタイミングソースは、ネットワーク時間プロトコル（ＮＴＰ）サーバ３４８であることができる。
【００３６】
現在の時間３４４が決定された時は、次に現在の時間３４４と基準時間３５２の間の時間オフセット３５０が決定されることができる。現在の時間は、積分時間オフセット３５６と整列されていない可能性があるので、基地局は、積分時間オフセット３５６を得るために遅延３５４の間待つ必要があり得る。ページンググループ３３６における各基地局３０２は、同一の基準時間３５２を使用することができ、そして基準時間３５２は、フレーム番号＝０に対応することができる。
【００３７】
現在のフレーム番号３３８は、次に積分時間オフセット３５６に基づいて決定されることができる。例えば、現在のフレーム番号３３８は、上記方程式（２）に従って決定されることができ、それは便宜上、下記に繰り返される：
現在のフレーム番号＝（Ｔ／フレーム長）ｍｏｄ  ２２４              式（２）
各基地局３０２は、先程説明された仕方においてフレーム番号同期を周期的に行うことができる。ページンググループ３３６における全ての基地局３０２が、同時にフレーム番号同期を行うことは必須ではないが、それらは、このように動作するように構成されることができる。
【００３８】
ここで図４への参照が行われる。図４は、フレーム番号同期のための方法４００の例を例示する。方法４００は、基地局３０２によってインプリメントされることができる。方法４００は、図３に関して上に記述されたのと同様に、本開示に従って基地局３０２によって行われることができる複数の機能を要約する。
【００３９】
方法４００は、共通のタイミングソース、即ち、マルチプルな複数の他の基地局３０２（例えば、同一のページンググループ３３６にいる複数の他の基地局３０２）に共通であるタイミングソース、から現在の時間３４４を決定すること４０２を伴う。共通のタイミングソースは、（ＧＰＳ受信機３４６を介してアクセスされる）全地球測位システム、ＮＴＰサーバ３４８等であることができる。
【００４０】
方法４００はまた、現在の時間３４４と基準時間３５２の間の時間オフセット３５０を決定すること４０４と、積分時間オフセット３５６を得るために遅延３５４を決定すること４０６と、そして積分時間オフセット３５６を決定すること４０８を含むことができる。ページンググループ３３６における各基地局３０２は、同一の基準時間３５２を使用することができ、また基準時間３５２は、フレーム番号＝０に対応することができる。
【００４１】
方法４００はまた、積分時間オフセット３５６に基づいて現在のフレーム番号３３８を決定すること４１０を含む。例えば、現在のフレーム番号３３８は、上記方程式（２）に従って決定されることができる。
【００４２】
上に記述された図４の方法４００は、図５に例示されるミーンズ−プラス−ファンクションブロック５００に対応する様々なハードウェア及び／又はソフトウェアの（複数の）構成要素及び／又は（複数の）モジュールによって行われることができる。言い換えれば、図４に例示されるブロック４０２乃至４１０は、図５に例示されるミーンズ−プラス−ファンクションブロック５０２乃至５１０に対応する。
【００４３】
ここに開示される技術は、既知のアプローチに関連する様々な利点を提供することができる。例えば、ここに開示される技術は、ＷｉＭＡＸネットワークのような無線通信ネットワークにおけるマルチプルな複数の基地局に、フレーム番号同期を達成することを可能にすることができる。これは、図６及び７に例示されるように、アイドルモードにおける頑強性（robustness）を向上することができる。
【００４４】
始めに図６への参照が行われる。図６は、マルチプルな複数の基地局の間でフレーム番号が同期されていない無線通信ネットワーク内でのページングの例を例示する。
【００４５】
移動局６０４、第１の基地局（ＢＳ１）６０２ａ、及び第２の基地局（ＢＳ２）６０２ｂが示されている。移動局６０４の複数のページング−傾聴間隔６５４、ＢＳ１  ６０２ａの複数のページング間隔６５６ａ、及びＢＳ２  ６０２ｂの複数のページング間隔６５６ｂもまた示されている。
【００４６】
時点１（図６において「１」として示されている）では、移動局６０４は、ＢＳ１  ６０２ａのカバレッジエリア内にあり、そしてそれ自身をＢＳ１  ６０２ａに対応するフレーム番号と同期する。時点２では、ネットワークにおいてページング要求６５８が発生する。時点３では、ＭＳ  ６０４が依然としてスリープ状態にあるので、ＢＳ２  ６０２ｂによるページング要求６５８は失敗する。
【００４７】
時点４では、ＭＳ  ６０４は起きてそれ自身がＢＳ２  ６０２ｂのカバレッジエリア内にいることに気付き、そしてそれ自身をＢＳ２  ６０２ｂに対応するフレーム番号と同期する。時点５では、ＭＳ  ６０４がＢＳ２のカバレッジエリア内にいるので、ＢＳ１  ６０２ａによるページング要求６５８は、失敗する。時点６では、ＢＳ２  ６０２ｂは、ページング要求６５８を伝送し、そして成功する。ＭＳ  ６０４は、ページング要求６５８に対する応答６６０をＢＳ２  ６０２ｂに伝送する。
【００４８】
時点２と時点６の間の時間期間は、セットアップ遅延６６２として考えられることができ、即ちネットワークにおいてページング要求６５８が発生した時間とページング要求６５８が、ＭＳ  ６０４にうまく伝えられた時間との間の遅延６６２である。
【００４９】
ここで図７への参照が行われる。図７は、マルチプルな複数の基地局７０２ａ−ｂの間でフレーム番号が同期されている無線通信ネットワーク内でのページングの例を例示する。
【００５０】
前の例でのように、移動局（ＭＳ）７０４、第１の基地局（ＢＳ１）７０２ａ、及び第２の基地局（ＢＳ２）７０２ｂが示されている。移動局７０４の複数のページング−傾聴間隔７５４、ＢＳ１  ７０２ａの複数のページング間隔７５６ａ、及びＢＳ２  ７０２ｂの複数のページング間隔７５６ｂもまた示されている。
【００５１】
時点１では、ＭＳ  ７０４は、ＢＳ１  ７０２ａのカバレッジエリア内にあり、そしてＭＳ  ７０４は、それ自身をＢＳ１  ７０２ａに対応するフレーム番号と同期する。時点２では、ネットワークにおいてページング要求７５８が発生する。
【００５２】
時点３では、ＭＳ  ７０４は起きてそれ自身がＢＳ２  ７０２ｂのカバレッジエリア内にいることに気付く。従って、ＭＳ  ７０４は、それ自身をＢＳ２  ７０２ｂに対応するフレーム番号と同期する。
【００５３】
時点４では、ＭＳ  ７０４がＢＳ２  ７０２ｂのカバレッジエリア内にいるので、ＢＳ１  ７０２ａによるページング要求７５８は失敗する。しかしながら、ＢＳ１  ７０２ａとＢＳ２  ７０２ｂの間のフレーム番号は同期されているので、ＢＳ２  ７０２ｂもまた、ＢＳ１  ７０２ａとおよそ同一の時間においてＭＳ  ７０４にページング要求７５８を伝送する。ＢＳ２  ７０２ｂによるページング要求７５８は成功する。
【００５４】
時点２と時点４の間の時間期間は、ネットワークにおいてページング要求７５８が発生した時間とページング要求７５８が、ＭＳ  ７０４にうまく伝えられた時間との間の遅延７６２である。
【００５５】
図７の例と図６の例とを比較した際には、（図７に示された）フレーム番号が同期されているシステムにおけるモバイル着信呼セットアップ（mobile terminated call setup）に影響する遅延７６２は、（図６に示された）フレーム番号が同期されていないシステムにおける遅延６６２より少ないということが解る。これは、ここに開示されるフレーム番号同期技術の１つの潜在的な利点を例示している。
【００５６】
ここで図８への参照が行われる。図８は、本開示に従って、フレーム番号同期のために構成される基地局８０２内に含まれることができるある複数の構成要素を例示する。
【００５７】
基地局８０２は、プロセッサ８１４を含む。プロセッサ８１４は、汎用の単一又はマルチチップのマイクロプロセッサ（例えば、ＡＲＭ）、専用マイクロプロセッサ（例えば、デジタル信号プロセッサ（ＤＳＰ））、マイクロコントローラ、プログラマブルな（programmable）ゲートアレー等であることができる。プロセッサ８１４は、中央処理装置（ＣＰＵ）と称されることができる。図８の基地局８０２では、単一のプロセッサ８１４のみが示されているが、代わりの構成では、複数のプロセッサ８１４の組み合わせ（例えば、ＡＲＭとＤＳＰ）が使用され得る。
【００５８】
基地局８０２はまた、メモリ８２８を含む。メモリ８２８は、電子情報を格納することが可能な何れの電子構成要素であることができる。メモリ８２８は、ランダムアクセスメモリ（ＲＡＭ）、読み出し専用メモリ（ＲＯＭ）、磁気ディスク記憶媒体、光学記憶媒体、ＲＡＭ中のフラッシュメモリデバイス、プロセッサと共に含まれるオンボードメモリ、ＥＰＲＯＭメモリ、ＥＥＰＲＯＭメモリ、レジスタ等及び、それらの組み合わせも含めて組み込まれることができる。
【００５９】
データ８３４及び複数の命令８６４は、メモリ８２８中に格納されることができる。複数の命令８６４は、様々な機能をインプリメントするためにプロセッサ８１４によって実行可能であることができる。複数の命令８６４を実行することは、メモリ８２８中に格納されているデータ８３４の使用を伴い得る。
【００６０】
基地局８０２は、複数の他の基地局（例えば、ページンググループ内の複数の他の基地局）と現在のフレーム番号８３８を同期するための複数のフレーム同期命令８６６を含むことができる。複数のフレーム同期命令８６６は、マルチプルな複数の他の基地局に共通であるタイミングソースから現在の時間８４４を決定するための複数の命令８６８を含むことができる。複数のフレーム同期命令８６６はまた、積分時間オフセット８５６と、積分時間オフセット８５６を得るための遅延８５４と、現在の時間８４４と基準時間８５２の間の時間オフセット８５０を決定するための複数の命令８７０を含むことができる。基地局８０２及びマルチプルな複数の他の基地局（例えば、同一のページンググループ内の複数の他の基地局）は、時間オフセット８５０を決定するために同じ基準時間８５２を使用することができる。複数のフレーム同期命令８６６はまた、積分時間オフセット８５６に基づいて現在のフレーム番号８３８を決定するための複数の命令８７２を含むことができる。基地局８０２はまた、１つの各フレーム長８４０毎に現在のフレーム番号を増加するための複数の命令８７４を含むことができる。
【００６１】
基地局８０２はまた、複数のページング命令８７６を含むことができる。ページング命令８７６は、複数ページング要求を伝送するための複数の命令８７８、及び複数のページング要求に対する複数の応答を処理及び受信するための複数の命令８８０を含むことができる。
【００６２】
基地局８０２は、ＩＥＥＥ  ８０２．１６規格（即ち、ＷｉＭＡＸ）をサポートする無線通信ネットワークを介して通信するように構成されることができる。基地局８０２は、ＩＥＥＥ  ８０２．１６規格に従って通信を容易にするデータ８８２を含むことができる。同様に、基地局８０２は、ＩＥＥＥ  ８０２．１６規格に従って通信を容易にする複数の命令８８４を含むことができる。
【００６３】
ここに記述された複数の技術をインプリメントすることに関連する他のタイプの複数の命令８６４及びデータ８３４もまた、メモリ８２８中に含まれることができる。
【００６４】
基地局８０２はまた、基地局８０２と遠隔地との間で複数の信号の送信及び受信を可能にするための送信機８１８及び受信機８２２を含むことができる。送信機８１８及び受信機８２２は、トランシーバ８８６と総称されることができる。アンテナ８２０は、トランシーバ８８６に電気的に結合されることができる。基地局８０２はまた、（示されていない）マルチプルな複数の送信機８１８、マルチプルな複数の受信機８２２、マルチプルな複数のトランシーバ８８６、及び／又はマルチプルな複数のアンテナ８２０を含むことができる。
【００６５】
基地局８０２の様々な構成要素は、１つ又は複数のバスによって互いに結合されることができ、それは、パワーバス、制御信号バス、ステータス信号バス、データバス等を含むことができる。明快さのために、様々なバスは、バスシステム８８８として図８に例示されている。
【００６６】
ここに開示されたフレーム番号同期技術は、ページングと関連して記述されている。しかしながら、これらの技術はまた、高速基地局スイッチング（ＦＢＳＳ：Fast Base Station Switching）又はマクロダイバーシチＨＯ（ＭＤＨＯ）オペレーションにおいて用いられることができる。
【００６７】
上の記述では、参照番号が、様々な用語と一緒に時折使用されている。用語が参照番号と一緒に使用されている所では、これは、１つ又はそれ以上の図面に示される特定の要素を指すことを意味している。用語が参照番号無しで使用される所では、これは、何れの特定の図面に限定すること無く、一般に該用語を指すことを意味している。例えば、「基地局８０２」への参照は、図８において示されている特定の基地局を指す。しかしながら、参照番号の無い「基地局」の使用は、該用語が使用されている文脈に適切である何れの基地局を指し、そして複数の図面において示される何れの特定の基地局に限定されない。
【００６８】
ここに記述された複数の技術は、様々な通信システムのために使用されることができ、直交多重化スキームに基づく通信システムを含む。そのような通信システムの例には、直交周波数分割多元接続（ＯＦＤＭＡ）システム、単一キャリア周波数分割多元接続（ＳＣ−ＦＤＭＡ）システム等が含まれる。ＯＦＤＭＡシステムは、直交周波数分割多重方式（ＯＦＤＭ）を利用し、それは、オーバオールな（overall）システムの帯域幅をマルチプルな複数の直交するサブキャリアに分割する変調技術である。これらのサブキャリアはまた、トーン（tones）、ビン（bins）等と呼ばれることができる。ＯＦＤＭでは、各サブキャリアは、データを用いて独立に変調されることができる。ＳＣ−ＦＤＭＡシステムは、システムの帯域幅にわたって分散される複数のサブキャリア上で送信するためのインタリーブされたＦＤＭＡ（ＩＦＤＭＡ）、隣接するサブキャリアのブロック上で送信するための局所的ＦＤＭＡ（ＬＦＤＭＡ）、又は隣接するサブキャリアのマルチプルな複数のブロック上で送信するための拡張されたＦＤＭＡ（ＥＦＤＭＡ：enhanced FDMA）を利用することができる。一般に、複数の変調シンボルは、ＯＦＤＭでは周波数領域において、そしてＳＣ−ＦＤＭＡでは時間領域において伝送される。
【００６９】
ここに使用されるように、「決定する（determining)」という用語は、幅広い様々な動作を包含し、従って「決定する」は、演算すること、計算すること、処理すること、導出すること、調査すること、検索すること（例えば、テーブル、データベース、又は別のデータ構造において検索すること）、確かめること、及びそれに類することを含むことができる。また、「決定する」は、受信すること（例えば、情報を受信すること）、アクセスすること（例えば、メモリ中のデータにアクセスすること）、及びそれに類することを含むことができる。また、「決定する」は、決めること（resolving）、選択すること（selecting）、選ぶこと（choosing）、確定すること（establishing）、及びそれに類することを含むことができる。
【００７０】
「〜に基づく（based on）」という表現は、別な方法で明確に規定されない限りは、「〜だけに基づく」を意味していない。言い換えれば、「〜に基づく」という表現は、「〜だけに基づく」及び「〜に少なくとも基づく」の両方を説明する。
【００７１】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、ステートマシン等を包含するように幅広く解釈されるべきである。ある状況下では、「プロセッサ」は、特定用途向け集積回路（ＡＳＩＣ）、プログラマブル論理デバイス（ＰＬＤ）、フィールドプログラマブルなゲートアレー（ＦＰＧＡ）等を指すことができる。「プロセッサ」という用語は、処理デバイスの組み合わせ、例えば、ＤＳＰとマクロプロセッサの組み合わせ、複数のマイクロプロセッサ、ＤＳＰのコアと結合している１つ又は複数のマイクロプロセッサ、又はその他任意のそのような構成を指すことができる。
【００７２】
「メモリ」という用語は、電子情報を格納することができる何れの電子構成要素を包含するように、幅広く解釈されるべきである。メモリという用語は、ランダムアクセスメモリ（ＲＡＭ）、読み出し専用メモリ（ＲＯＭ）、不揮発性ランダムアクセスメモリ（ＮＶＲＡＭ）、プログラマブルな読み出し専用メモリ（ＰＲＯＭ）、消去可能プログラム可能読み出し専用メモリ（ＥＰＲＯＭ）、電気的消去可能ＰＲＯＭ、フラッシュメモリ、磁気又は光学データ記憶装置、レジスタ等のような様々なタイプのプロセッサ可読媒体を指すことができる。プロセッサが、メモリから情報を読み、及び／又はそれに情報を書くことができる場合には、メモリはプロセッサと電子通信状態にあると言われる。メモリは、プロセッサと一体化されることができるが、それでもなおプロセッサと電子通信状態にあると言われる。
【００７３】
「命令」及び「コード」という用語は、何れのタイプの（複数の）コンピュータ可読文を含むように幅広く解釈されるべきである。例えば、「命令」及び「コード」という用語は、１つ又は複数のプログラム、ルーチン、サブルーチン、機能、処理手順等を指すことができる。「命令」及び「コード」は、単一のコンピュータ可読文又は多くのコンピュータ可読文を含むことができる。「命令」及び「コード」という用語は、ここにおいて置換可能に使用されることができる。
【００７４】
ここに記述される複数の機能は、ハードウェア、ソフトウェア、ファームウェア、又はそれらの何れの組み合わせにおいてインプリメントされることができる。ソフトウェアにおいてインプリメントされる場合には、複数の機能は、コンピュータ可読媒体上の１つ又は複数の命令として格納されることができる。「コンピュータ可読媒体」という用語は、コンピュータによってアクセスされることができる何れの利用可能な媒体を指す。限定としてではなく、例として、コンピュータ可読媒体は、ＲＡＭ、ＲＯＭ、ＥＥＰＲＯＭ、ＣＤ−ＲＯＭ、又は他の光ディスク記憶装置、磁気ディスク記憶装置又は他の磁気記憶装置のデバイス、あるいはデータ構造又は命令の形式で所望のプログラムコードを格納する又は運ぶために使用されることができ、またコンピュータによってアクセスされることができるその他任意の媒体を具備することができる。ここにおいて使用されるディスク（Disk）及びディスク（disc）は、コンパクトディスク（ＣＤ）、レーザーディスク（登録商標）、光ディスク、デジタル多目的ディスク（ＤＶＤ）、フロッピー（登録商標）ディスク及びブルーレイ（登録商標）ディスクを含み、ディスク（disks）は、通常磁気的にデータを再生するのに対して、ディスク（discs）は、レーザーを用いて光学的にデータを再生する。
【００７５】
ソフトウェア又は複数の命令はまた、送信媒体上で送信されることができる。例えば、ソフトウェアが、同軸ケーブル、光ファイバーケーブル、ツイストペア、デジタル加入者回線（ＤＳＬ）、あるいは赤外線、電波、及びマイクロ波のような無線技術を用いてウェブサイト、サーバ、又は他のリモートソースから送信される場合には、同軸ケーブル、光ファイバーケーブル、ツイストペア、ＤＳＬ、あるいは赤外線、電波、及びマイクロ波のような無線技術は、送信媒体の定義に含まれている。
【００７６】
ここに開示された複数の方法は、記述された方法を成し遂げるための１つ又は複数のステップ又は動作を具備する。方法のステップ及び／又は動作は、特許請求の範囲から逸脱することなくお互い置き換えられることができる。言い換えれば、特定の順序のステップ又は動作が、記述されている方法の正常なオペレーションに必要でない限り、特定のステップ及び／又は動作の順序及び／又は使用は、特許請求の範囲から逸脱することなく変更されることができる。
【００７７】
更に、図４によって例示されたそれらのような、ここに記述された方法及び技術を行うためのモジュール及び／又は他の適切な手段は、ダウンロード及び／又は別の方法で基地局によって得られることができる。例えば、そのようなデバイスは、ここに記述された方法を行う手段の転移（transfer）を容易にするために、サーバに結合されることができる。あるいは、ここに記述された様々な方法は、デバイスに記憶手段を提供する又は結合する際に、基地局が様々な方法を得ることができるように、記憶手段（例えば、ランダムアクセスメモリ（ＲＡＭ）、読み出し専用メモリ（ＲＯＭ）、コンパクトディスク（ＣＤ）又はフロッピー（登録商標）ディスクのような物理的な記憶媒体等）を介して提供されることができる。更に、ここに記述された方法及び技術をデバイスに提供するためのその他任意の適切な技術が、利用されることができる。
【００７８】
特許請求の範囲は、上記に例示された明確な構成及び構成要素に限定されないことが理解されるべきである。ここに記述されたシステム、方法及び装置の配置、オペレーション及び詳細において、様々な修正、変更、及び変化が、特許請求項の範囲から逸脱することなく行われることができる。
以下に、本願出願の当初の特許請求の範囲に記載された発明を付記する。
［Ｃ１］  無線通信ネットワークにおけるフレーム番号同期のための方法、基地局によってインプリメントされる前記方法は、下記を具備する：
マルチプルな複数の他の基地局に共通であるタイミングソースから現在の時間を決定すること；
前記現在の時間と基準時間の間の時間オフセットを決定すること、ここにおいて前記基地局及び前記マルチプルな複数の他の基地局は、前記時間オフセットを決定するために前記同一の基準時間を使用する；
積分時間オフセットを得るために遅延を決定すること；及び
前記積分時間オフセットに基づいて現在のフレーム番号を決定すること。
［Ｃ２］  前記共通のタイミングソースは、全地球測位システム（ＧＰＳ）である、Ｃ１に記載の方法。
［Ｃ３］  前記共通のタイミングソースは、ネットワーク時間プロトコル（ＮＴＰ）サーバである、Ｃ１に記載の方法。
［Ｃ４］  前記基地局及び前記マルチプルな複数の他の基地局は、同一のページンググループに属する、Ｃ１に記載の方法。
［Ｃ５］  前記現在のフレーム番号は、現在のフレーム番号＝（Ｔ／フレーム長）ｍｏｄ  ２２４として決定され、ここにおいてＴは、前記積分時間オフセットである、Ｃ１に記載の方法。
［Ｃ６］  更に下記を具備する、Ｃ１に記載の方法：
移動局にページング要求を伝送すること；及び
前記移動局から前記ページング要求に対する応答を受信すること。
［Ｃ７］  前記方法は周期的に行われる、Ｃ１に記載の方法。
［Ｃ８］  前記基準番号は、フレーム番号＝０に対応する、Ｃ１に記載の方法。
［Ｃ９］  １つの各フレーム長毎に、前記現在のフレーム番号を増加することを更に具備する、Ｃ１に記載の方法。
［Ｃ１０］  前記基地局は、米国電気電子学会（ＩＥＥＥ）８０２．１６規格をサポートする無線通信ネットワークにおけるオペレーションのために構成される、Ｃ１に記載の方法。
［Ｃ１１］  下記を具備する、無線通信ネットワークにおけるフレーム番号同期のために構成された基地局：
プロセッサ；
前記プロセッサと電子通信状態にあるメモリ；
前記メモリ中に格納された複数の命令、前記複数の命令は、下記を行うために前記プロセッサによって実行可能である：
マルチプルな複数の他の基地局に共通であるタイミングソースから現在の時間を決定すること；
前記現在の時間と基準時間の間の時間オフセットを決定すること、ここにおいて前記基地局及び前記マルチプルな複数の他の基地局は、前記時間オフセットを決定するために前記同一の基準時間を使用する；
積分時間オフセットを得るために遅延を決定すること；及び
前記積分時間オフセットに基づいて現在のフレーム番号を決定すること。
［Ｃ１２］  前記共通のタイミングソースは、全地球測位システム（ＧＰＳ）である、Ｃ１１に記載の基地局。
［Ｃ１３］  前記共通のタイミングソースは、ネットワーク時間プロトコル（ＮＴＰ）サーバである、Ｃ１１に記載の基地局。
［Ｃ１４］  前記基地局及び前記マルチプルな複数の他の基地局は、同一のページンググループに属する、Ｃ１１に記載の基地局。
［Ｃ１５］  前記現在のフレーム番号は、現在のフレーム番号＝（Ｔ／フレーム長）ｍｏｄ  ２２４として決定され、ここにおいてＴは、前記積分時間オフセットである、Ｃ１１に記載の基地局。
［Ｃ１６］  前記複数の命令はまた下記を実行可能である、Ｃ１１に記載の基地局：
移動局にページング要求を伝送すること；及び
前記移動局から、前記ページング要求に対する応答を受信すること。
［Ｃ１７］  前記現在の時間を決定することと、前記時間オフセットを決定することと、そして前記現在のフレーム番号を決定することとの複数の命令は、周期的に行われる、Ｃ１１に記載の基地局。
［Ｃ１８］  前記基準番号は、フレーム番号＝０に対応する、Ｃ１１に記載の基地局。
［Ｃ１９］  前記複数の命令はまた、１つの各フレーム長毎に前記現在のフレーム番号を増加することを実行可能である、Ｃ１１に記載の基地局。
［Ｃ２０］  前記基地局は、米国電気電子学会（ＩＥＥＥ）８０２．１６規格をサポートする無線通信ネットワークにおけるオペレーションのために構成される、Ｃ１１に記載の基地局。
［Ｃ２１］  下記を具備する、無線通信ネットワークにおけるフレーム番号同期のために構成される基地局：
マルチプルな複数の他の基地局に共通であるタイミングソースから現在の時間を決定する手段；
前記現在の時間と基準時間の間の時間オフセットを決定する手段、ここにおいて前記基地局及び前記マルチプルな複数の他の基地局は、前記時間オフセットを決定するために前記同一の基準時間を使用する；
積分時間オフセットを得るために遅延を決定する手段；及び
前記積分時間オフセットに基づいて現在のフレーム番号を決定する手段。
［Ｃ２２］  前記共通のタイミングソースは、全地球測位システム（ＧＰＳ）である、Ｃ２１に記載の基地局。
［Ｃ２３］  前記共通のタイミングソースは、ネットワーク時間プロトコル（ＮＴＰ）サーバである、Ｃ２１に記載の基地局。
［Ｃ２４］  前記基地局及び前記マルチプルな複数の他の基地局は、同一のページンググループに属する、Ｃ２１に記載の基地局。
［Ｃ２５］  前記現在のフレーム番号は、現在のフレーム番号＝（Ｔ／フレーム長）ｍｏｄ  ２２４として決定され、ここにおいてＴは、前記積分時間オフセットである、Ｃ２１に記載の基地局。
［Ｃ２６］  基地局による、無線通信ネットワークにおけるフレーム番号同期のためのコンピュータプログラム製品、前記コンピュータプログラム製品は、複数の命令をその上に有するコンピュータ可読媒体を具備し、前記複数の命令は下記を具備する：
マルチプルな複数の他の基地局に共通であるタイミングソースから現在の時間を決定するためのコード；
前記現在の時間と基準時間の間の時間オフセットを決定するためのコード、ここにおいて前記基地局及び前記マルチプルな複数の他の基地局は、前記時間オフセットを決定するために前記同一の基準時間を使用する；
積分時間オフセットを得るために遅延を決定するためのコード；及び
前記積分時間オフセットに基づいて現在のフレーム番号を決定するためのコード。
［Ｃ２７］  前記共通のタイミングソースは、全地球測位システム（ＧＰＳ）である、Ｃ２６に記載のコンピュータプログラム製品。
［Ｃ２８］  前記共通のタイミングソースは、ネットワーク時間プロトコル（ＮＴＰ）サーバである、Ｃ２６に記載のコンピュータプログラム製品。
［Ｃ２９］  前記基地局及び前記マルチプルな複数の他の基地局は、同一のページンググループに属する、Ｃ２６に記載のコンピュータプログラム製品。
［Ｃ３０］  前記現在のフレーム番号は、現在のフレーム番号＝（Ｔ／フレーム長）ｍｏｄ  ２２４として決定され、ここにおいてＴは、前記積分時間オフセットである、Ｃ２６に記載のコンピュータプログラム製品。
【図１】
0005199474.tif 000002
【図２】
0005199474.tif 000003
【図３】
0005199474.tif 000004
【図４】
0005199474.tif 000005
【図５】
0005199474.tif 000006
【図６】
0005199474.tif 000007
【図７】
0005199474.tif 000008
【図８】
0005199474.tif 000009